(57)【要約】【課題】耐久性を向上させる。【解決手段】本発明に係るスイッチ装置は、ベース（１１）と、第１方向（Ｘ方向）に第１スイッチ面を有し、且つベースに取り付けられる第１スイッチ（１２ａ）と、第１方向に第１スイッチ面と対向する第２スイッチ面を有し、且つベースに取り付けられる第２スイッチ（１２ｂ）と、第１方向と異なる第２方向（Ｚ方向）に第３スイッチ面を有し、且つベースに取り付けられる第３スイッチ（１２ｃ）と、第１スイッチと第２スイッチとの間に配置され、且つベースに第１方向に回動可能に保持される操作部材（１３）と、ベースを第２方向に回動可能に保持する取付部（１５）と、を備え、操作部材は、第１方向に回動し、第１及び第２スイッチ面をそれぞれ押圧することによって第１及び第２スイッチをオンにし、ベースは、取付部に対して第２方向に相対的に回動し、第３スイッチ面を取付部に押圧することによって第３スイッチをオンにする。【選択図】図１
2019160479.tif 000002
【特許請求の範囲】
【請求項１】
ベースと、
第１方向に第１スイッチ面を有し、且つ前記ベースに取り付けられる第１スイッチと、
前記第１方向に前記第１スイッチ面と対向する第２スイッチ面を有し、且つ前記ベースに取り付けられる第２スイッチと、
前記第１方向と異なる第２方向に第３スイッチ面を有し、且つ前記ベースに取り付けられる第３スイッチと、
前記第１スイッチと前記第２スイッチとの間に配置され、且つ前記ベースに前記第１方向に回動可能に保持される操作部材と、
前記ベースを前記第２方向に回動可能に保持する取付部と、
を備え、
前記操作部材は、前記第１方向に回動し、前記第１及び第２スイッチ面をそれぞれ押圧することによって前記第１及び第２スイッチをオンにし、
前記ベースは、前記取付部に対して前記第２方向に相対的に回動し、前記第３スイッチ面を前記取付部に押圧することによって前記第３スイッチをオンにする、スイッチ装置。
【請求項２】
前記ベースの両側端には、前記操作部材が保持される側に延びるベース側壁が形成されており、
前記取付部は、前記ベース側に延びるリブを有し、
前記操作部材の回動は、前記ベース側壁によって制限され、
前記ベースの回動は、前記取付部の前記リブによって制限される、
請求項１に記載のスイッチ装置。
【請求項３】
更に、
前記ベース及び前記操作部材に係合する第１の弾性体と、
前記取付部に配置され、且つ前記ベースに対して付勢する第２の弾性体と、
を備え、
前記操作部材が操作されていない状態において、
前記第１の弾性体は、前記第１及び第２スイッチ面から離れた位置に前記操作部材を保持し、
前記第２の弾性体は、前記ベースに対して付勢し、前記ベースを前記取付部に対して前記第２方向に相対的に回動させることによって、前記第３スイッチ面を前記取付部に押圧する、
請求項１又は２に記載のスイッチ装置。
【請求項４】
前記操作部材の幅は、前記操作部材と前記ベースとが重なる方向から見て、操作可能な前記操作部材の一端に向かって小さくなっている、請求項１〜３のいずれか一項に記載のスイッチ装置。
【請求項５】
更に、操作可能な前記操作部材の一端に着脱可能なカバーを備える、請求項１〜４のいずれか一項に記載のスイッチ装置。
【請求項６】
前記第１スイッチ、前記第２スイッチ及び前記第３スイッチのうち少なくともいずれか一つは、前記ベースから取り外し可能である、請求項１〜５のいずれか一項に記載のスイッチ装置。
【請求項７】
加熱プレートと、前記加熱プレートを加熱する本体と、を備える誘導加熱調理器であって、
前記本体は、前記誘導加熱調理器を操作する１つ又は複数のスイッチ装置を有し、
前記１つ又は複数のスイッチ装置は、
ベースと、
第１方向に第１スイッチ面を有し、且つ前記ベースに取り付けられる第１スイッチと、
前記第１方向に前記第１スイッチ面と対向する第２スイッチ面を有し、且つ前記ベースに取り付けられる第２スイッチと、
前記第１方向と異なる第２方向に第３スイッチ面を有し、且つ前記ベースに取り付けられる第３スイッチと、
前記第１スイッチと前記第２スイッチとの間に配置され、且つ前記ベースに前記第１方向に回動可能に保持される操作部材と、
前記ベースを前記第２方向に回動可能に保持する取付部と、
を備え、
前記操作部材は、前記第１方向に回動し、前記第１及び第２スイッチ面をそれぞれ押圧することによって前記第１及び第２スイッチをオンにし、
前記ベースは、前記取付部に対して前記第２方向に相対的に回動し、前記第３スイッチ面を前記取付部に押圧することによって前記第３スイッチをオンにし、
前記操作部材の一端は、前記本体に設けられた孔から前記本体の外側に露出している、誘導加熱調理器。
【請求項８】
前記１つ又は複数のスイッチ装置は、前記本体の前記孔の縁部と前記操作部材との間を封止する封止部材を有する、請求項７に記載の誘導加熱調理器。
【請求項９】
前記本体は、前記１つ又は複数のスイッチ装置の操作により入力された情報を制御する操作基板を有し、
前記１つ又は複数のスイッチ装置は、前記操作基板に設けられた切り欠きに配置される、
請求項７又は８に記載の誘導加熱調理器。
【請求項１０】
前記１つ又は複数のスイッチ装置は、前記操作部材の前記一端に着脱可能なカバーを有する、請求項７〜９のいずれか一項に記載の誘導加熱調理器。
【発明の詳細な説明】
【技術分野】
【０００１】
本発明は、スイッチ装置及び誘導加熱調理器に関する。
【背景技術】
【０００２】
スイッチ装置として、例えば、特許文献１に記載の多方向スイッチが知られている。特許文献１の多方向スイッチは、操作レバーの傾動によりスイッチの切替を行っている。
【先行技術文献】
【特許文献】
【０００３】
【特許文献１】特開平５−２４２９５９号公報
【発明の概要】
【発明が解決しようとする課題】
【０００４】
しかしながら、特許文献１のスイッチでは、耐久性を向上させるという観点において未だ改善の余地がある。
【０００５】
したがって、本発明の目的は、前記課題を解決することにあって、耐久性を向上させることができるスイッチ装置及び誘導加熱調理器を提供することである。
【課題を解決するための手段】
【０００６】
前記目的を達成するために、本発明の一態様に係るスイッチ装置は、
ベースと、
第１方向に第１スイッチ面を有し、且つ前記ベースに取り付けられる第１スイッチと、
前記第１方向に前記第１スイッチ面と対向する第２スイッチ面を有し、且つ前記ベースに取り付けられる第２スイッチと、
前記第１方向と異なる第２方向に第３スイッチ面を有し、且つ前記ベースに取り付けられる第３スイッチと、
前記第１スイッチと前記第２スイッチとの間に配置され、且つ前記ベースに前記第１方向に回動可能に保持される操作部材と、
前記ベースを前記第２方向に回動可能に保持する取付部と、
を備え、
前記操作部材は、前記第１方向に回動し、前記第１及び第２スイッチ面をそれぞれ押圧することによって前記第１及び第２スイッチをオンにし、
前記ベースは、前記取付部に対して前記第２方向に相対的に回動し、前記第３スイッチ面を前記取付部に押圧することによって前記第３スイッチをオンにする。
【０００７】
本発明の一態様に係る誘導加熱調理器は、
加熱プレートと、前記加熱プレートを加熱する本体と、を備える誘導加熱調理器であって、
前記本体は、前記誘導加熱調理器を操作する１つ又は複数のスイッチ装置を有し、
前記１つ又は複数のスイッチ装置は、
ベースと、
第１方向に第１スイッチ面を有し、且つ前記ベースに取り付けられる第１スイッチと、
前記第１方向に前記第１スイッチ面と対向する第２スイッチ面を有し、且つ前記ベースに取り付けられる第２スイッチと、
前記第１方向と異なる第２方向に第３スイッチ面を有し、且つ前記ベースに取り付けられる第３スイッチと、
前記第１スイッチと前記第２スイッチとの間に配置され、且つ前記ベースに前記第１方向に回動可能に保持される操作部材と、
前記ベースを前記第２方向に回動可能に保持する取付部と、
を備え、
前記操作部材は、前記第１方向に回動し、前記第１及び第２スイッチ面をそれぞれ押圧することによって前記第１及び第２スイッチをオンにし、
前記ベースは、前記取付部に対して前記第２方向に相対的に回動し、前記第３スイッチ面を前記取付部に押圧することによって前記第３スイッチをオンにし、
前記操作部材の一端は、前記本体に設けられた孔から前記本体の外側に露出している。
【発明の効果】
【０００８】
本発明に係るスイッチ装置及び誘導加熱調理器によれば、耐久性を向上させることができる。
【図面の簡単な説明】
【０００９】
【図１】図１は、本発明の実施の形態１に係るスイッチ装置の一例の斜視図である。
【図２】図２は、図１のスイッチ装置の分解斜視図である。
【図３】図３は、第１スイッチをオフにした状態のスイッチ装置の一例を示す平面図である。
【図４】図４は、第１スイッチをオンにした状態のスイッチ装置の一例を示す平面図である。
【図５Ａ】図５Ａは、第３スイッチをオンにした状態のスイッチ装置の一例を示す側面図である。
【図５Ｂ】図５Ｂは、第３スイッチをオンにした状態のスイッチ装置の一例を示す概略側面断面図である。
【図５Ｃ】図５Ｃは、第３スイッチをオンにした状態のスイッチ装置の一例を示す背面図である。
【図６Ａ】図６Ａは、第３スイッチをオフにした状態のスイッチ装置の一例を示す側面図である。
【図６Ｂ】図６Ｂは、第３スイッチをオフにした状態のスイッチ装置の一例を示す概略側面断面図である。
【図６Ｃ】図６Ｃは、第３スイッチをオフにした状態のスイッチ装置の一例を示す背面図である。
【図７】図７は、本発明の実施の形態２に係る誘導加熱調理器の一例の斜視図である。
【図８】図８は、誘導加熱調理器の本体の内部構成の一例を示す図である。
【図９】図９は、図８の誘導加熱調理器の部分拡大図である。
【図１０】図１０は、誘導加熱調理器の待機動作の制御の一例を示すフローチャートである。
【発明を実施するための形態】
【００１０】
（本開示の基礎となった知見）
スイッチ装置として、例えば、特許文献１に示すように、多方向に入力が可能なスイッチ装置が知られている。
【００１１】
このような多方向に入力が可能なスイッチ装置においては、複数のスイッチが基板上に取り付けられている構成が採用されている。このような構成においては、ユーザが操作部材を操作することによって、基板上に取り付けられたスイッチを押圧し、スイッチのオン及びオフを切り替えている。
【００１２】
このため、操作部材の操作による負荷が、スイッチを介して基板にかかるため、基板が損傷する場合がある。
【００１３】
そこで、本発明者らは、耐久性を向上させるべく、基板とは別個の部材で形成されるベースにスイッチと操作部材とを取り付け、操作部材の回動及びベースの回動によって、スイッチのオンオフの切替が可能なスイッチ装置の構成を見出し、以下の発明に至った。
【００１４】
本発明の第１態様のスイッチ装置は、
ベースと、
第１方向に第１スイッチ面を有し、且つ前記ベースに取り付けられる第１スイッチと、
前記第１方向に前記第１スイッチ面と対向する第２スイッチ面を有し、且つ前記ベースに取り付けられる第２スイッチと、
前記第１方向と異なる第２方向に第３スイッチ面を有し、且つ前記ベースに取り付けられる第３スイッチと、
前記第１スイッチと前記第２スイッチとの間に配置され、且つ前記ベースに前記第１方向に回動可能に保持される操作部材と、
前記ベースを前記第２方向に回動可能に保持する取付部と、
を備え、
前記操作部材は、前記第１方向に回動し、前記第１及び第２スイッチ面をそれぞれ押圧することによって前記第１及び第２スイッチをオンにし、
前記ベースは、前記取付部に対して前記第２方向に相対的に回動し、前記第３スイッチ面を前記取付部に押圧することによって前記第３スイッチをオンにする。
【００１５】
本発明の第２態様のスイッチ装置においては、前記ベースの両側端には、前記操作部材が保持される側に延びるベース側壁が形成されており、
前記取付部は、前記ベース側に延びるリブを有し、
前記操作部材の回動は、前記ベース側壁によって制限され、
前記ベースの回動は、前記取付部の前記リブによって制限されてもよい。
【００１６】
本発明の第３態様のスイッチ装置においては、前記ベース及び前記操作部材に係合する第１の弾性体と、
前記取付部に配置され、且つ前記ベースに対して付勢する第２の弾性体と、
を備え、
前記操作部材が操作されていない状態において、
前記第１の弾性体は、前記第１及び第２スイッチ面から離れた位置に前記操作部材を保持し、
前記第２の弾性体は、前記ベースに対して付勢し、前記ベースを前記取付部に対して前記第２方向に相対的に回動させることによって、前記第３スイッチ面を前記取付部に押圧してもよい。
【００１７】
本発明の第４態様のスイッチ装置においては、前記操作部材の幅は、前記操作部材と前記ベースとが重なる方向から見て、操作可能な前記操作部材の一端に向かって小さくなっていてもよい。
【００１８】
本発明の第５態様のスイッチ装置においては、操作可能な前記操作部材の一端に着脱可能なカバーを備えていてもよい。
【００１９】
本発明の第６態様のスイッチ装置においては、前記第１スイッチ、前記第２スイッチ及び前記第３スイッチのうち少なくともいずれか一つは、前記ベースから取り外し可能であってもよい。
【００２０】
本発明の第７態様の誘導加熱調理器においては、
加熱プレートと、前記加熱プレートを加熱する本体と、を備える誘導加熱調理器であって、
前記本体は、前記誘導加熱調理器を操作する１つ又は複数のスイッチ装置を有し、
前記１つ又は複数のスイッチ装置は、
ベースと、
第１方向に第１スイッチ面を有し、且つ前記ベースに取り付けられる第１スイッチと、
前記第１方向に前記第１スイッチ面と対向する第２スイッチ面を有し、且つ前記ベースに取り付けられる第２スイッチと、
前記第１方向と異なる第２方向に第３スイッチ面を有し、且つ前記ベースに取り付けられる第３スイッチと、
前記第１スイッチと前記第２スイッチとの間に配置され、且つ前記ベースに前記第１方向に回動可能に保持される操作部材と、
前記ベースを前記第２方向に回動可能に保持する取付部と、
を備え、
前記操作部材は、前記第１方向に回動し、前記第１及び第２スイッチ面をそれぞれ押圧することによって前記第１及び第２スイッチをオンにし、
前記ベースは、前記取付部に対して前記第２方向に相対的に回動し、前記第３スイッチ面を前記取付部に押圧することによって前記第３スイッチをオンにし、
前記操作部材の一端は、前記本体に設けられた孔から前記本体の外側に露出している。
【００２１】
本発明の第８態様の誘導加熱調理器においては、前記１つ又は複数のスイッチ装置は、前記本体の前記孔の縁部と前記操作部材との間を封止する封止部材を有していてもよい。
【００２２】
本発明の第９態様の誘導加熱調理器においては、前記本体は、前記１つ又は複数のスイッチ装置の操作により入力された情報を制御する操作基板を有し、
前記１つ又は複数のスイッチ装置は、前記操作基板に設けられた切り欠きに配置されてもよい。
【００２３】
本発明の第１０態様の誘導加熱調理器においては、前記１つ又は複数のスイッチ装置は、前記操作部材の前記一端に着脱可能なカバーを有していてもよい。
【００２４】
以下、本開示の実施形態について、添付の図面を参照しながら説明する。また、各図においては、説明を容易なものとするため、各要素を誇張して示している。
【００２５】
（実施の形態１）
［全体構成］
本発明の実施の形態１に係るスイッチ装置の一例について説明する。図１は、本発明の実施の形態１に係るスイッチ装置１の一例の斜視図である。図２は、図１のスイッチ装置１の分解斜視図である。なお、図中において、Ｘ，Ｙ及びＺ方向は、それぞれ、スイッチ装置１の幅方向、長さ方向及び高さ方向を意味する。
【００２６】
図１及び図２に示すように、スイッチ装置１は、ベース１１、複数のスイッチ１２ａ、１２ｂ、１２ｃ、操作部材１３、第１軸部１４、取付部１５、第２軸部１６、及び弾性体１７を備える。
【００２７】
［ベース］
ベース１１は、複数のスイッチ１２ａ、１２ｂ、１２ｃと操作部材１３とが取り付けられる板状の部材である。ベース１１の上面側に、複数のスイッチ１２ａ、１２ｂ、１２ｃ及び操作部材１３が配置されている。
【００２８】
ベース１１は、一端側の第１ベース部１１ａと、他端側の第２ベース部１１ｂと、を有する。第２ベース部１１ｂは、第１ベース部１１ａより幅が長い。
【００２９】
第１ベース部１１ａは、ベース１１の厚み方向（Ｚ方向）に貫通する孔が設けられている。第１ベース部１１ａの孔には、第１軸部１４が挿入される。第１ベース部１１ａの両側端には、上面側、即ち操作部材１３が配置される側に延びるベース側壁１１ｃが形成されている。第２ベース部１１ｂには、上面側に延びるベース後壁１１ｄが形成されている。
【００３０】
［複数のスイッチ］
複数のスイッチ１２ａ、１２ｂ、１２ｃは、スイッチ面が押圧されることによってオンになるスイッチである。スイッチ面とは、スイッチのオンオフが操作される機構が設けられた面を意味する、複数のスイッチ１２ａ、１２ｂ、１２ｃとしては、例えば、スイッチ面にヒンジ及びボタンを備えたヒンジスイッチであってもよい。ヒンジスイッチは、ヒンジが押圧されることによって、ボタンが押され、スイッチをオンにする。
【００３１】
なお、本明細書において、スイッチのオンとは、機械的な接点どうしの接触を意味しており、制御におけるオンとは異なる。例えば、スイッチの接点が接触すること、即ち、スイッチをオンにすることによって、制御においてオフとなるように設計してもよい。
【００３２】
第１スイッチ１２ａは、第１方向（Ｘ方向）に第１スイッチ面を有し、且つベース１１に取り付けられる。第２スイッチ１２ｂは、第１方向（Ｘ方向）に第１スイッチ面と対向する第２スイッチ面を有し、且つベース１１に取り付けられる。具体的には、第１スイッチ１２ａ及び第２スイッチ１２ｂは、ベース１１の上面側において、第１方向に互いに間隔を有して配置されている。また、第１スイッチ面と第２スイッチ面は向き合っている。
【００３３】
第３スイッチ１２ｃは、第１方向（Ｘ方向）と異なる第２方向（Ｚ方向）に第３スイッチ面を有して、ベース１１に取り付けられている。具体的には、第３スイッチ１２ｃは、ベース１１のベース後壁１１ｄに取り付けられている。また、第３スイッチ１２ｃの第３スイッチ面は、鉛直方向下向き、即ちベース１１の底面側に向いている。
【００３４】
複数のスイッチ１２ａ、１２ｂ、１２ｃは、それぞれ、ケーブルを介して操作基板（図示なし）に接続される。なお、操作基板とは、複数のスイッチ１２ａ、１２ｂ、１２ｃの操作により入力された情報を制御する基板である。
【００３５】
［操作部材］
操作部材１３は、第１スイッチ１２ａと第２スイッチ１２ｂとの間に配置され、且つベース１１に第１方向（Ｘ方向）に回動可能に保持される。具体的には、操作部材１３は、ベース１１の上面側において、第１スイッチ１２ａと第２スイッチ１２ｂとの間で第１方向（Ｘ方向）に回動可能に保持されている。操作部材１３は、ユーザなどによって操作されることによって、複数のスイッチ１２ａ、１２ｂ、１２ｃのオンオフを切り替える。
【００３６】
操作部材１３の一端１３ａは、ユーザなどによって操作可能である。操作部材１３の一端１３ａは、ベース１１の第１ベース部１１ａから露出している。第１ベース部１１ａから露出した部分では、操作部材１３は、屈曲して形成されている。実施の形態１では、操作部材１３は、第１ベース部１１ａからベース１１の底面側（Ｚ方向）に向かって屈曲し、更にベース１１の延びる方向（Ｙ方向）に屈曲している。このように、操作部材１３の一端１３ａ側には、屈曲部が形成されている。
【００３７】
操作部材１３の他端１３ｂは、ベース１１の第２ベース部１１ｂ上に配置されている。また、操作部材１３の他端１３ｂは、第１スイッチ１２ａと第２スイッチ１２ｂとの間に配置されている。
【００３８】
操作部材１３の幅は、操作部材１３とベース１１とが重なる方向（Ｚ方向）から見て、操作部材１３の一端１３ａに向かって小さくなっている。即ち、操作部材１３のＸ方向の長さは、一端１３ａに向かって小さくなっている。
【００３９】
操作部材１３の一端１３ａには、着脱可能なカバー１８が取り付けられている。
【００４０】
実施の形態１では、操作部材１３は、第１軸部１４によってベース１１の上面側で保持され、第１軸部１４を中心として第１方向（Ｘ方向）に回動可能になっている。
【００４１】
例えば、ユーザなどが操作部材１３の一端１３ａを第１方向、即ち左右方向に操作すると、操作部材１３の他端１３ｂが、第１軸部１４を中心として、第１方向、即ち左右方向に回動する。操作部材１３の一端１３ａを第１方向において右向きに操作した場合、操作部材１３の他端１３ｂは、第１軸部１４を中心として、第１方向において左向きに回動する。操作部材１３の一端１３ａを第１方向において左向きに操作した場合、操作部材１３の他端１３ｂは、第１軸部１４を中心として、第１方向において右向きに回動する。
【００４２】
操作部材１３が第１軸部１４を中心として、左右方向に回動することによって、操作部材１３の他端１３ｂが第１スイッチ１２ａ及び第２スイッチ１２ｂのそれぞれのスイッチ面を押圧する。これにより、第１スイッチ１２ａ及び第２スイッチ１２ｂをオンにすることができる。
【００４３】
このように、操作部材１３の第１方向（Ｘ方向）、即ち左右方向への回動によって、第１スイッチ１２ａ及び第２スイッチ１２ｂのオンオフを操作することができる。
【００４４】
操作部材１３の回動は、ベース１１のベース側壁１１ｃによって制限される。
【００４５】
実施の形態１では、操作部材１３の一端１３ａが操作されていない状態において、操作部材１３は、弾性体１９によって、操作部材１３の他端１３ｂを第１スイッチ１２ａの第１スイッチ面及び第２スイッチ１２ｂの第２スイッチ面から離れた位置に保持されている。即ち、操作部材１３の一端１３ａが操作されていない状態において、弾性体１９は、第１スイッチ１２ａ及び第２スイッチ１２ｂをオフ状態に保持している。
【００４６】
なお、本明細書では、弾性体１９を第１の弾性体１９と称し、弾性体１７を第２の弾性体１７と称する。
【００４７】
第１の弾性体１９は、ベース１１及び操作部材１３に係合している。
【００４８】
第１の弾性体１９は、例えば、ねじりばねで構成されている。具体的には、第１の弾性体１９は、線形の鋼材をコイル状に巻いたコイル部分と、Ｖ字状に延びる延長部分と、を有する。また、第１の弾性体１９の先端部分は、屈曲している。
【００４９】
第１の弾性体１９のコイル部分は、第１軸部１４によって、位置決めされている。第１の弾性体１９の延長部分は、操作部材１３に係合している。また、第１の弾性体１９の延長部分は、ベース１１のベース側壁１１ｃに設けられた凹部にも係合している。これにより、第１の弾性体１９は、操作部材１３が操作されていない状態において、操作部材１３を第１スイッチ１２ａの第１スイッチ面及び第２スイッチ１２ｂの第２スイッチ面から離れた位置に保持することができる。
【００５０】
［第１軸部］
第１軸部１４は、操作部材１３の回動中心軸として機能する。即ち、第１軸部１４は、ベース１１上に配置された操作部材１３が第１方向（Ｘ方向）に回動する中心として機能する。実施の形態１では、第１軸部１４は、ベース１１及び操作部材１３を貫通し、操作部材１３を第１方向（Ｘ方向）に回動可能に保持している。
【００５１】
第１軸部１４は、ベース１１と操作部材１３とが重なる方向（Ｚ方向）に延び、第１ベース部１１ａと操作部材１３とを貫通している。第１軸部１４は、例えば、第１ベース部１１ａに設けられた孔及び操作部材１３に設けられた孔に挿入される円柱状の軸部材である。
【００５２】
［取付部］
取付部１５は、ベース１１を第２方向（Ｚ方向）に回動可能に保持する。取付部１５は、ベース１１の底面側に配置される。取付部１５は、例えば、板状の部材である。実施の形態１では、取付部１５は、第２軸部１６によって、ベース１１を第２方向（Ｚ方向）に相対的に回動可能に保持している。つまり、ベース１１は、第２軸部１６を中心として、取付部１５に対して第２方向に相対的に回動可能となっている。
【００５３】
取付部１５は、両側端からベース１１側に延びる取付側壁１５ａを有する。取付部１５は、取付側壁１５ａとベース側壁１１ｃとを貫通する第２軸部１６によって、ベース１１と接続されている。
【００５４】
取付部１５は、上面側、即ちベース１１側に延びるリブ１５ｂを有する。リブ１５ｂは、取付部１５の上面から取付部１５の厚み方向（Ｚ方向）に延び、且つ取付部１５の延びる方向（Ｙ方向）に屈曲している。
【００５５】
取付部１５は、取付部１５の上面側に第３スイッチ１２ｃを押圧する凸部１５ｃを有する。凸部１５ｃは、第３スイッチ１２ｃのスイッチ面を押圧する。
【００５６】
［第２軸部］
第２軸部１６は、ベース１１の回動中心として機能する。即ち、第２軸部１６は、取付部１５で保持されたベース１１が第２方向（Ｚ方向）に回動する中心として機能する。実施の形態１では、第２軸部１６は、ベース１１及び取付部１５を貫通し、ベース１１を取付部１５に対して第２方向（Ｚ方向）に相対的に回動可能に保持している。
【００５７】
第２軸部１６は、ベース１１及び取付部１５の幅方向（Ｘ方向）に延び、ベース側壁１１ｃと取付側壁１５ａとを貫通している。第２軸部１６は、例えば、ベース側壁１１ｃに設けられた孔及び取付側壁１５ａに設けられた孔に挿入される円柱状の軸部材である。
【００５８】
例えば、操作部材１３を第２方向（Ｚ方向）において下向きに操作した場合、操作部材１３と共にベース１１が第２軸部１６を中心にして第２方向において上向きに回動する。
【００５９】
［第２の弾性体］
第２の弾性体１７は、取付部１５に配置され、且つベース１１に対して付勢する部材である。第２の弾性体１７は、取付部１５の一端側において、第１軸部１４の軸線上に配置されている。実施の形態１では、第２の弾性体１７は、金属製のコイルばねで形成されている。
【００６０】
第２の弾性体１７は、ベース１１の第１ベース部１１ａの底面を持ち上げるように付勢する。実施の形態１では、ベース１１の他端が第２軸部１６を中心として上方向に回動することによって、第３スイッチ１２ｃの第３スイッチ面を取付部１５の凸部１５ｃに押圧している。即ち、第２の弾性体１７は、操作部材１３を操作していない状態において、第３スイッチ１２ｃの第３スイッチ面を取付部１５の凸部１５ｃに押圧し、第３スイッチ１２ｃをオンの状態に保持している。
【００６１】
スイッチ装置１は、誘導加熱調理器の本体に設けられた孔に取り付けられる。このため、スイッチ装置１は、誘導加熱料理器の本体の孔の縁部と操作部材１３との間を封止する封止部材２０を有していてもよい。封止部材２０としては、例えば、ゴム材料などから成るパッキンが挙げられる。
【００６２】
［動作］
スイッチ装置１の動作について説明する。
【００６３】
＜第１方向に配置されたスイッチのオンオフ操作＞
第１方向（Ｘ方向）に配置された第１スイッチ１２ａのオンオフ操作の一例について、図３及び図４を用いて説明する。
【００６４】
図３は、第１スイッチ１２ａをオフにした状態のスイッチ装置１の一例を示す平面図である。図４は、第１スイッチ１２ａをオンにした状態のスイッチ装置１の一例を示す平面図である。
【００６５】
図３に示すように、操作部材１３を操作していない状態において、操作部材１３は、第１の弾性体１９の付勢力によって、ベース１１の中央に保持される。この状態において、操作部材１３の他端１３ｂは、第１スイッチ１２ａの第１スイッチ面と第２スイッチ１２ｂの第２スイッチ面とから離れた位置に保持される。即ち、操作部材１３を操作していない状態において、操作部材１３は、第１の弾性体１９の付勢力によって、第１スイッチ１２ａと第２スイッチ１２ｂとの間に保持される。
【００６６】
このように、操作部材１３を操作していない状態においては、第１スイッチ１２ａ及び第２スイッチ１２ｂは、オフの状態に保持される。
【００６７】
実施の形態１では、図３に示すように、第１スイッチ１２ａのスイッチ面には、ボタン１２ａａと、ヒンジ１２ａｂとが設けられている。なお、第２スイッチ１２ｂ及び第３スイッチ１２ｃにおいても、第１スイッチ１２ａと同様の構成を有するため、説明を省略する。
【００６８】
実施の形態１では、操作部材１３の両側面には、幅方向（Ｘ方向）に突設した突設部１３ｃが設けられている。突設部１３ｃは、例えば、半円球状の形状を有する。突設部１３ｃは、操作部材１３が第１方向に回動したときに、ベース側壁１１ｃと接触する。これにより、操作部材１３の第１方向の回動を制限することができる。
【００６９】
第１スイッチ１２ａをオンにする操作の一例について説明する。操作部材１３の一端１３ａを第１方向（Ｘ方向）に操作する。この操作により、操作部材１３が、第１軸部１４を中心として第１方向に回動する。
【００７０】
例えば、図４に示すように、ユーザが操作部材１３の一端１３ａを第１方向（Ｘ方向）において左向きＤ１に回動させると、操作部材１３の他端１３ｂは、第１軸部１４を中心として、第１方向（Ｘ方向）において右向きＤ２に回動する。これにより、操作部材１３の他端１３ｂは、第１スイッチ１２ａの第１スイッチ面のヒンジ１２ａｂを押圧する。その結果、第１スイッチ１２ａのボタン１２ａａが押され、第１スイッチ１２ａをオンにする。
【００７１】
また、操作部材１３の他端１３ｂが右向きＤ２へ回動すると、操作部材１３の突設部１３ｃがベース側壁１１ｃに接触する。突設部１３ｃがベース側壁１１ｃに接触することによって、操作部材１３の回動を制限することができる。このため、ユーザなどの操作により操作部材１３に加えられた負荷は、突設部１３ｃを介してベース側壁１１ｃで受けることができる。その結果、操作部材１３に加えられた負荷が第１スイッチ１２ａに直接かからないようになっている。
【００７２】
操作部材１３の一端１３ａの操作を終了して、操作部材１３に負荷を加えない状態にすると、操作部材１３の他端１３ｂは、第１の弾性体１９の付勢力によって、第１スイッチ１２ａから離れる。操作部材１３の他端１３ｂが第１スイッチ１２ａの第１スイッチ面から離れると、ヒンジ１２ａｂがボタン１２ａａから離れて、第１スイッチ１２ａをオフにする。
【００７３】
第２スイッチ１２ｂのオンオフ操作については、操作部材１３の回動の向きが反対であることを除いて、第１スイッチ１２ａと同様であるため説明を省略する。
【００７４】
＜第２方向に配置されたスイッチのオンオフ操作＞
第２方向（Ｚ方向）に配置された第３スイッチ１２ｃのオンオフ操作の一例について、図５Ａ〜５Ｃ及び図６Ａ〜６Ｃを用いて説明する。
【００７５】
図５Ａは、第３スイッチ１２ｃをオンにした状態のスイッチ装置１の一例を示す側面図である。図５Ｂは、第３スイッチ１２ｃをオンにした状態のスイッチ装置１の一例を示す概略側面断面図である。図５Ｃは、第３スイッチ１２ｃをオンにした状態のスイッチ装置１の一例を示す背面図である。図６Ａは、第３スイッチ１２ｃをオフにした状態のスイッチ装置１の一例を示す側面図である。図６Ｂは、第３スイッチ１２ｃをオフにした状態のスイッチ装置１の一例を示す概略側面断面図である。図６Ｃは、第３スイッチ１２ｃをオフにした状態のスイッチ装置１の一例を示す背面図である。
【００７６】
図５Ａ〜図５Ｃに示すように、操作部材１３を操作していない状態において、ベース１１の一端は、第２の弾性体１７の付勢力によって、第２方向（Ｚ方向）において上向きＤ３に持ち上げられている。具体的には、第２の弾性体１７は、ベース１１の一端側の第１ベース部１１ａの底面に対して、鉛直方向（Ｚ方向）において上向きＤ３に押圧する。これにより、ベース１１の他端側の第２ベース部１１ｂが、第２軸部１６を中心として、取付部１５に対して第２方向において下向きＤ４に相対的に回動する。その結果、ベース１１のベース後壁１１ｄに取り付けられている第３スイッチ１２ｃの第３スイッチ面は、取付部１５の凸部１５ｃに押圧され、オンの状態となる。
【００７７】
また、ベース１１の回動は、取付部１５のリブ１５ｂとベース１１とが接触することによって制限される。具体的には、ベース１１の第２ベース部１１ｂが、取付部１５のリブ１５ｂと接触する。これにより、第２方向（Ｚ方向）において下向きＤ４に向かう第２ベース部１１ｂの回動を制限することができる。このため、第２の弾性体１７の付勢力によって加えられる負荷は、第２ベース部１１ｂを介してリブ１５ｂで受けることができる。その結果、第２の弾性体１７の付勢力によって加えられる負荷が第３スイッチ１２ｃに直接かからないようになっている。
【００７８】
第３スイッチ１２ｃをオフにする操作の一例について説明する。ユーザなどは、操作部材１３の一端１３ａを第２方向（Ｚ方向）に操作する。この操作により、ベース１１は、第２軸部１６を中心として、取付部１５に対して、操作部材１３と共に第２方向に相対的に回動する。
【００７９】
例えば、図６Ａ〜６Ｃに示すように、ユーザなどは、操作部材１３の一端１３ａを第２方向（Ｚ方向）において下向きＤ５に操作する。このとき、ベース１１の第１ベース部１１ａは、第２軸部１６を中心として、取付部１５に対して第２方向において下向きＤ５に相対的に回動する。また、ベース１１の第２ベース部１１ｂは、第２軸部１６を中心として、取付部１５に対して第２方向において上向きＤ６に相対的に回動する。これにより、第３スイッチ１２ｃの第３スイッチ面が取付部１５の凸部１５ｃから上向きＤ６に離れることにより、第３スイッチ面のボタン１２ｃａを押圧していたヒンジ１２ｃｂがボタン１２ｃａから離れる。その結果、第３スイッチ１２ｃがオフになる。
【００８０】
また、ベース１１の第１ベース部１１ａが取付部１５に対して下向きＤ５へ相対的に回動すると、操作部材１３が取付部１５の一端に接触する。操作部材１３が取付部１５の一端に接触することによって、第１ベース部１１ａの第２方向（Ｚ方向）における下向きの回動を制限することができる。実施の形態１では、操作部材１３の一端１３ａ側に設けられた屈曲部に、取付部１５の一端が接触する。
【００８１】
［効果］
実施の形態１に係るスイッチ装置１によれば、以下の効果を奏することができる。
【００８２】
スイッチ装置１によれば、複数のスイッチ１２ａ、１２ｂ、１２ｃを制御する操作基板とは別個の部材で形成されるベース１１に、複数のスイッチ１２ａ、１２ｂ、１２ｃと操作部材１３とを取り付けている。スイッチ装置１は、操作部材１３の回動及びベース１１の回動によって、複数のスイッチ１２ａ、１２ｂ、１２ｃのオンオフを切り替えている。具体的には、スイッチ装置１では、操作部材１３を第１方向（Ｘ方向）に回動させることによって、第１方向に配置された第１スイッチ１２ａ及び第２スイッチ１２ｂのオンオフを切り替えている。また、ベース１１を第２方向（Ｚ方向）に回動させることによって、第２方向に配置された第３スイッチ１２ｃのオンオフを切り替えている。
【００８３】
このような構成により、スイッチ装置１では、複数のスイッチ１２ａ、１２ｂ、１２ｃを操作基板に実装せずに、複数のスイッチ１２ａ、１２ｂ、１２ｃのオンオフ操作を行うことができる。このため、操作部材１３に加えられる負荷が、操作基板に直接かからない。その結果、スイッチ装置１では、スイッチを操作基板に実装する構成に比べて、耐久性を向上させることができる。
【００８４】
ベース１１の両側端には、操作部材１３が保持される側に延びるベース側壁１１ｃが形成されている。操作部材１３の回動は、ベース側壁１１ｃによって制限される。このような構成により、ユーザなどの操作により操作部材１３に加えられた負荷はベース側壁１１ｃで受けることができる。その結果、第１スイッチ１２ａにかかる負荷を抑制し、スイッチ装置１の耐久性を更に向上させることができる。
【００８５】
取付部１５は、ベース１１側に延びるリブ１５ｂを有している。ベース１１の回動は、取付部１５のリブ１５ｂによって制限される。このような構成により、第２の弾性体１７の付勢力によって加えられる負荷は、第２ベース部１１ｂを介してリブ１５ｂで受けることができる。その結果、第３スイッチ１２ｃにかかる負荷を抑制し、スイッチ装置１の耐久性を更に向上させることができる。
【００８６】
スイッチ装置１は、ベース１１及び操作部材１３に係合する第１の弾性体１９と、取付部１５に配置され、且つベース１１に対して付勢する第２の弾性体１７と、を備える。操作部材１３が操作されていない状態において、第１の弾性体１９は、第１スイッチ１２ａの第１スイッチ面及び第２スイッチ１２ｂの第２スイッチ面から離れた位置に操作部材１３を保持している。第２の弾性体１７は、ベース１１を付勢し、ベース１１を取り付け部１１５に対して第２方向（Ｚ方向）に相対的に回動することによって、第３スイッチ１２ｃの第３スイッチ面を取付部１５に押圧している。
【００８７】
このような構成により、操作部材１３が操作されていない状態においては、第１スイッチ１２ａ及び第２スイッチ１２ｂをオフの状態に保持し、第３スイッチ１２ｃをオンの状態に保持することができる。また、操作部材１３に負荷がかかっていない状態において、第３スイッチ１２ｃをオンの状態に保持することによって、スイッチ装置１の高さを低くすることができる。
【００８８】
操作部材１３の幅は、操作部材１３とベース１１とが重なる方向（Ｚ方向）から見て、操作可能な操作部材１３の一端１３ａに向かって小さくなっている。このような構成により、ユーザが操作部材１３を掴みやすくなり、操作部材１３の操作性を向上させることができる。即ち、ユーザが操作部材１３を操作しやすくなる。
【００８９】
操作可能な操作部材１３の一端１３ａには、着脱可能なカバー１８が取り付けられている。このような構成により、カバー１８を取り替えることができ、デザインを変更することができる。
【００９０】
なお、実施の形態１では、複数のスイッチについて、３つのスイッチ１２ａ、１２ｂ、１２ｃを例として説明したが、スイッチの数は３つに限定されない。例えば、複数のスイッチは、３つ以上あってもよい。
【００９１】
第１スイッチ１２ａ、第２スイッチ１２ｂ及び第３スイッチ１２ｃのうち少なくともいずれか一つは、ベース１１から取り外し可能であってもよい。第１〜第３スイッチ１２ａ〜１２ｃの少なくとも一つを取り外し可能にすることにより、多方向（例えば、１方向〜３方向）のスイッチの構成の大部分を共通にできる。
【００９２】
例えば、第３スイッチ１２ｃをベース１１から取り外す場合は、第２の弾性体１７に代えて、スペーサを配置してもよい。スペーサを配置することにより、ベース１１は第１方向を軸中心として第２方向に回動しなくなる。
【００９３】
例えば、第１スイッチ１２ａをベース１１から取り外す場合は、第１スイッチ１２ａが配置されていた場所と操作部材１３との間にスペーサを配置してもよい。これにより、第２スイッチ１２ｂの第２スイッチ面を押圧する方向と反対方向への操作部材１３の回動を阻止することができる。
【００９４】
実施の形態１では、操作部材１３は、屈曲して形成される例について説明したが、これに限定されない。例えば、操作部材１３は、屈曲していなくてもよい。
【００９５】
実施の形態１では、操作部材１３が回動する第１方向を左右方向とし、ベース１１が回動する第２方向を鉛直方向として説明したが、これに限定されない。第１方向及び第２方向は、左右方向、鉛直方向、及び斜め方向などのいずれの方向であってもよい。
【００９６】
実施の形態１では、操作部材１３が、第１軸部１４によって、ベース１１に第１方向に回動可能に保持される例を説明したが、これに限定されない。また、ベース１１は、第２軸部１６によって、取付部１５に対して第２方向に相対的に回動可能に保持される例について説明したが、これに限定されない。第１軸部１４及び第２軸部１６は、必須の構成ではない。スイッチ装置１は、第１軸部１４及び第２軸部１６を備えていなくてもよい。スイッチ装置１は、操作部材１３を、ベース１１に第１方向に回動可能に保持する機構を有していればよい。また、スイッチ装置１は、ベース１１を、取付部１５に対して第２方向に相対的に回動可能に保持する機構を有していればよい。例えば、操作部材１３は、ベース１１に設けられた第１凸部と係合し、第１凸部を中心として、第１方向に回動してもよい。また、ベース１１は、ベース１１に設けられた第２凸部を取付部に係合し、第２凸部を中心にして取付部１５に対して第２方向に相対的に回動してもよい。
【００９７】
実施の形態１では、取付部１５は、リブ１５ｂ及び凸部１５ｃを有する例について説明したが、これに限定されない。スイッチ装置１において、リブ１５ｂ及び凸部１５ｃは必須の構成ではない。
【００９８】
実施の形態１では、第２の弾性体１７は、金属製のコイルばねである例について説明したが、これに限定されない。第２の弾性体１７は、例えば、皿ばね、板ばね、円錐ばね等などの各種ばねであってもよい。また、第２の弾性体１７は、例えば、ゴム又は樹脂などで形成されていてもよい。
【００９９】
実施の形態１では、第２の弾性体１７は、必須の構成ではない。スイッチ装置１は、第２の弾性体１７を備えていなくてもよい。
【０１００】
実施の形態１では、スイッチ装置１は、カバー１８、第１の弾性体１９、及び封止部材２０を備える例について説明したが、これに限定されない。カバー１８、第１の弾性体１９、及び封止部材２０は、必須の構成ではない。スイッチ装置１は、カバー１８、第１の弾性体１９、及び封止部材２０を備えていなくてもよい。
【０１０１】
実施の形態１では、第１の弾性体１９は、ねじりばねである例について説明したが、これに限定されない。第１の弾性体１９は、操作部材１３の他端１３ｂを第１スイッチ１２ａの第１スイッチ面及び第２スイッチ１２ｂの第２スイッチ面から離れた位置に保持する弾性体であればよい。例えば、第１の弾性体１９は、コイルばね、皿ばね、板ばね、円錐ばね、又はゴムなどであってもよい。また、第１の弾性体１９は、操作部材１３の側壁とベース側壁１１ｃとの間に配置されてもよい。
【０１０２】
実施の形態１では、操作部材１３を操作していない状態において、第１スイッチ１２ａ及び第２スイッチ１２ｂをオフの状態に保持し、第３スイッチ１２ｃをオンの状態に保持する例について説明したが、これに限定されない。例えば、操作部材１３を操作していない状態において、第１スイッチ１２ａ及び第２スイッチ１２ｂをオンの状態に保持してもよい。あるいは、操作部材１３を操作していない状態において、第３スイッチ１２ｃをオフの状態に保持してもよい。
【０１０３】
実施の形態１では、第３スイッチ１２ｃのオンオフの切替は、操作部材１３の一端１３ａを鉛直方向において下向きに操作することによって行う例について説明したが、これに限定されない。例えば、第３スイッチ１２ｃのオンオフの切替は、操作部材１３の一端１３ａを鉛直方向において上向きに操作することによって行ってもよい。
【０１０４】
（実施の形態２）
本発明の実施の形態２に係る誘導加熱調理器について説明する。なお、実施の形態２では、主に実施の形態１と異なる点について説明する。実施の形態２においては、実施の形態１と同一又は同等の構成については同じ符号を付して説明する。また、実施の形態２では、実施の形態１と重複する記載は省略する。
【０１０５】
実施の形態２では、実施の形態１のスイッチ装置１を備える誘導加熱調理器５０の例について説明する。
【０１０６】
図７は、本発明の実施の形態２に係る誘導加熱調理器５０の一例の斜視図を示す。図８は、誘導加熱調理器５０の本体５２の内部構成の一例を示す。図９は、図８の誘導加熱調理器５０のＺ１部分の拡大図を示す。
【０１０７】
図７に示すように、誘導加熱調理器５０は、加熱プレート５１と、加熱プレート５１を加熱する本体５２と、を備える。
【０１０８】
［加熱プレート］
加熱プレート５１は、上面に調理物を載せて加熱するプレートである。図７に示すように、加熱プレート５１は、薄板状の平面プレートである。加熱プレート５１は、例えば、厚さ方向、即ちＺ方向から見て、長方形形状に形成されている。加熱プレート１０は、それぞれ個別に加熱可能な複数の加熱領域を有する。
【０１０９】
［本体］
本体５２は、上面に加熱プレート５１を載置して、加熱プレート５１を誘導加熱する。図７に示すように、本体５２は、本体５２の外観を構成する筐体５３の上面にトッププレートを載置している。また、筐体５３の正面には、表示部５４と、複数のスイッチ装置１ａ、１ｂ、１ｃとが配置されている。また、図８に示すように、本体５２は、複数の加熱コイル５５ａ、５５ｂと、制御基板５６と、操作基板５７とを収容している。
【０１１０】
以下、本体５２の詳細な構成について説明する。
【０１１１】
＜表示部＞
表示部５４は、誘導加熱調理器５０の機能及び設定等を表示する。表示部５４は、例えば、電源のオンオフ、設定された加熱温度、設定されたタイマー、選択されているコース、及び／又は異常を検知した場合の警告などの情報を表示する。
【０１１２】
＜複数のスイッチ装置＞
複数のスイッチ装置１ａ、１ｂ、１ｃは、それぞれ、実施の形態１に係るスイッチ装置１と同じ構成を有する。
【０１１３】
複数のスイッチ装置１ａ、１ｂ、１ｃは、例えば、誘導加熱調理器５０の電源のオンオフ、加熱温度、タイマー、及びコースの設定を入力する。
【０１１４】
＜複数の加熱コイル＞
複数の加熱コイル５５ａ、５５ｂは、加熱プレート１０を加熱する。具体的には、複数の加熱コイル５５ａ、５５ｂは、それぞれ、加熱プレート１０の複数の加熱領域を加熱する。
【０１１５】
＜制御基板＞
制御基板５６は、誘導加熱調理器５０の制御を行う回路が搭載された基板である。制御基板５６は、制御部と、複数のインバータと、を有する。また、制御基板５６は、表示部５４と、操作基板５７とに接続されている。
【０１１６】
なお、制御基板５６を構成する要素は、例えば、これらの要素を機能させるプログラムを記憶したメモリ（図示せず）と、ＣＰＵ（Ｃｅｎｔｒａｌ  Ｐｒｏｃｅｓｓｉｎｇ  Ｕｎｉｔ）などのプロセッサに対応する処理回路（図示せず）を備え、プロセッサがプログラムを実行することでこれらの要素として機能してもよい。
【０１１７】
制御部は、複数の加熱コイル５５ａ、５５ｂに高周波電流を供給する複数のインバータのそれぞれの出力を制御する。例えば、制御部４１は、複数のスイッチ装置１ａ、１ｂ、１ｃを操作して設定された加熱温度の情報を受信し、受信した加熱温度の情報に基づいて、複数のインバータのそれぞれの出力を制御する。
【０１１８】
複数のインバータは、それぞれ、複数の加熱コイル５５ａ、５５ｂに高周波電力を供給する。複数のインバータのそれぞれの出力は、制御部によって制御される。
【０１１９】
制御部は、操作基板５７から複数のスイッチ装置１ａ、１ｂ、１ｃの操作により入力された情報を受信する。制御部は、複数のスイッチ装置１ａ、１ｂ、１ｃで入力されたスイッチのオンオフ情報に基づいて、誘導加熱調理器５０の機能及び設定などを決定する。機能及び設定としては、例えば、電源のオンオフ、加熱温度、タイマー、及びコースなどである。
【０１２０】
＜操作基板＞
操作基板５７は、複数のスイッチ装置１ａ、１ｂ、１ｃと接続されており、複数のスイッチ装置１ａ、１ｂ、１ｃの操作により入力された情報を制御する。具体的には、操作基板５７は、複数のスイッチ装置１ａ、１ｂ、１ｃの入力を受け付け、入力された情報を制御基板５６の制御部に送信する。複数のスイッチ装置１ａ、１ｂ、１ｃにより入力された情報とは、複数のスイッチ装置１ａ、１ｂ、１ｃのそれぞれの複数のスイッチ１２ａ、１２ｂ、１２ｃのオンオフ情報を意味する。
【０１２１】
図８に示すように、誘導加熱調理器５０において、複数のスイッチ装置１ａ、１ｂ、１ｃの操作部材１３の一端１３ａは、それぞれ、本体５２の側面に設けられた孔５８ａ、５８ｂ、５８ｃから本体５２の外側に露出している。
【０１２２】
また、複数のスイッチ装置１ａ、１ｂ、１ｃは、それぞれ、操作基板５７に設けられた複数の切り欠き５９ａ、５９ｂ、５９ｃに配置されている。
【０１２３】
図９を用いて、本体５２の孔５８ｃに取り付けられているスイッチ装置１ｃを説明する。図９に示すように、スイッチ装置１ｃの操作部材１３の一端１３ａは、本体５２の孔５８ｃから本体５２の外側に露出している。
【０１２４】
実施の形態２では、スイッチ装置１ｃの操作部材１３の一端１３ａには、着脱可能なカバー１８が取り付けられている。
【０１２５】
本体５２の孔５８ｃにおいては、孔５８ｃの縁部と操作部材１３との間を封止する封止部材２０が配置されている。封止部材２０は、例えば、樹脂製のパッキンである。
【０１２６】
スイッチ装置１ｃは、操作基板５７に設けられた切り欠き５９ｃに配置されている。切り欠き５９ｃは、例えば、操作基板５７の一部を凹状に切り取ることによって形成される。
【０１２７】
［複数のスイッチ装置の操作］
複数のスイッチ装置１ａ、１ｂ、１ｃの操作の一例について説明する。以降では、複数のスイッチ装置１ａ、１ｂ、１ｃを、順に第１スイッチ装置１ａ、第２スイッチ装置１ｂ、第３スイッチ装置１ｃと称する。
【０１２８】
＜第１スイッチ装置＞
第１スイッチ装置１ａの操作の例について説明する。第１スイッチ装置１ａは、第１加熱コイル５５ａの加熱を操作する。例えば、第１スイッチ装置１ａは、第１加熱コイル５５ａの加熱のオンオフの切替及び加熱温度を制御する。
【０１２９】
第１スイッチ装置１ａの操作部材１３の一端１３ａは、第１方向（Ｘ方向）に操作可能である。例えば、第１スイッチ装置１ａの操作部材１３の一端１３ａを、第１方向、即ち左右方向において左向きに操作すると加熱温度を上げ、右向きに操作すると加熱温度を下げるように加熱温度を設定する。
【０１３０】
具体的には、操作部材１３の一端１３ａを左向きに操作すると、操作部材１３の他端１３ｂが第１スイッチ１２ａの第１スイッチ面を押圧し、第１スイッチ１２ａをオンにする。操作基板５７は、第１スイッチ１２ａがオンになった情報を制御基板５６の制御部に送信する。
【０１３１】
一方、操作部材１３の一端１３ａを右向きに操作すると、操作部材１３の他端１３ｂが第２スイッチ１２ｂの第２スイッチ面を押圧し、第２スイッチ１２ｂをオンにする。操作基板５７は、第２スイッチ１２ｂがオンになった情報を制御基板５６の制御部に送信する。
【０１３２】
制御部は、操作基板５７から受信した第１スイッチ１２ａ及び第２スイッチ１２ｂのオン情報に基づいて加熱温度の増減を決定し、決定した加熱温度の増減情報に基づいてインバータの出力を制御する。
【０１３３】
第１スイッチ装置１ａの操作部材１３の一端１３ａは、第２方向（Ｚ方向）に操作可能である。例えば、第１スイッチ装置１ａの操作部材１３の一端１３ａを第２方向、即ち鉛直方向において下向きに操作すると、第１加熱コイル５５ａの加熱のオンオフを切り替えることができる。
【０１３４】
具体的には、操作部材１３の一端１３ａを下向きに操作すると、第３スイッチ１２ｃの第３スイッチ面を押圧している取付部１５の凸部１５ｃが第３スイッチ面から離れ、第３スイッチ１２ｃがオンからオフになる。
【０１３５】
操作基板５７は、第３スイッチ１２ｃがオフになった情報を制御基板５６の制御部に送信する。制御部は、操作基板５７から受信した第３スイッチ１２ｃのオフ情報に基づいて第１加熱コイル５５ａの加熱のオンオフを決定し、インバータの出力を制御する。
【０１３６】
＜第２スイッチ装置＞
第２スイッチ装置１ｂの操作の例について説明する。第２スイッチ装置１ｂは、加熱モードを設定する。加熱モードとしては、例えば、全面加熱モード、及び個別加熱モードが挙げられる。全面加熱モードとは、加熱プレート１０の全面で同じ加熱温度で加熱するモードを意味する。個別加熱モードとは、加熱プレート１０の複数の加熱領域を、複数の加熱コイル５５ａ、５５ｂでそれぞれ別々に加熱するモードを意味する。
【０１３７】
第２スイッチ装置１ｂの操作部材１３の一端１３ａは、第１方向（Ｘ方向）に操作可能である。例えば、第２スイッチ装置１ｂの操作部材１３の一端１３ａを第１方向、即ち左右方向において左向きに操作すると、操作部材１３の他端１３ｂが第１スイッチ１２ａの第１スイッチ面を押圧し、第１スイッチ１２ａをオンにする。これにより、制御部は、個別加熱モードを設定する。一方、第２スイッチ装置１ｂの操作部材１３の一端１３ａを、左右方向において右向きに操作すると、操作部材１３の他端１３ｂが第２スイッチ１２ｂの第２スイッチ面を押圧し、第２スイッチ１２ｂをオンにする。これにより、制御部は、全面加熱モードを設定する。
【０１３８】
より具体的には、操作基板５７が、第２スイッチ装置１ｂの第１スイッチ１２ａ及び第２スイッチ１２ｂのオン情報を取得し、制御部にオン情報を送信する。制御部は、オン情報に基づいて、個別加熱モード、又は全面加熱モードを設定する。
【０１３９】
なお、全面加熱モード、個別加熱モードの名称は一例であり、他の名称であってもよい。さらに、制御部は、加熱プレート１０の全面ではないが、複数の加熱領域にまたがって、単一の操作で温度制御できる加熱モードを有していてもよい。
【０１４０】
＜第３スイッチ装置＞
第３スイッチ装置１ｃの操作の例について説明する。第３スイッチ装置１ｃは、第２加熱コイル５５ｂの加熱を操作する。例えば、第３スイッチ装置１ｃは、第２加熱コイル５５ｂの加熱のオンオフの切替及び加熱温度を制御する。第３スイッチ装置１ｃの操作は、第１スイッチ装置１ａと同じであるため、説明を省略する。
【０１４１】
［待機動作］
次に、誘導加熱調理器５０の待機動作の例について説明する。実施の形態２では、誘導加熱調理器５０の電源をオンにした後、所定の時間ユーザによる操作が行われない場合に、加熱禁止モードに移行して待機する。
【０１４２】
図１０は、誘導加熱調理器５０の待機動作の制御の一例を示すフローチャートである。図１０に示すように、ステップＳＴ１では、誘導加熱調理器５０の電源をオンにする。電源をオンにするとは、たとえば誘導加熱調理器５０に接続されたプラグをコンセントに差し込む動作を指す。または、コンセントに接続されたプラグを、誘導加熱調理器５０に接続する動作を指す。
【０１４３】
ステップＳＴ２では、制御部は、所定時間内に複数のスイッチ装置１ａ、１ｂ、１ｃののうち少なくともいずれか１つが操作されたか否かを決定する。即ち、ステップＳＴ２では、制御部は、所定時間内に、複数のスイッチ装置１ａ、１ｂ、１ｃのうち少なくともいずれか１つの操作がされたことを検出する。なお、「所定時間」とは、例えば、誘導加熱調理器５０の電源をオンにしてから１分を意味する。実施の形態２では、ステップＳＴ２の操作とは、スイッチ装置１ａ、１ｂ、１ｃを介するあらゆる操作を含む。具体的には、操作は、加熱のＯＮ／ＯＦＦ操作、モード選択、またはコース選択等である。
【０１４４】
制御部が所定時間内に複数のスイッチ装置１ａ、１ｂ、１ｃの操作があったと決定した場合、フローは終了する。フローが終了すると、制御部は、複数のスイッチ装置１ａ、１ｂ、１ｃの操作により入力された情報に基づいて、誘導加熱調理器５０の加熱を制御することができる。
【０１４５】
ステップＳＴ２において、制御部が所定時間内に複数のスイッチ装置１ａ、１ｂ、１ｃの操作がなかったと決定した場合、フローは、ステップＳＴ３に進む。ステップＳＴ３では、制御部は、誘導加熱調理器５０の加熱を禁止する加熱禁止モードに移行する。
【０１４６】
「加熱禁止モード」とは、誘導加熱調理器５０の加熱を禁止するモードである。加熱禁止モードにおいては、所定の操作が行われない限り、加熱がオンにならないように設定される。例えば、加熱禁止モードにおいて、複数のスイッチ装置１ａ、１ｂ、１ｃのそれぞれの操作部材１３の一端１３ａが第２方向（Ｚ方向）に操作されても、複数の加熱コイル５５ａ、５５ｂの加熱がオンにならないように設定される。
【０１４７】
なお、加熱禁止モードの名称は一例であり、他の名称であってもよい。
【０１４８】
「所定の操作」とは、例えば、複数のスイッチ装置１ａ、１ｂ、１ｃのうちいずれかの操作部材１３の一端１３ａが第１方向（Ｘ方向）に操作されて、第１スイッチ１２ａ又は第２スイッチ１２ｂのいずれかがオンになる操作である。
【０１４９】
ステップＳＴ３において、誘導加熱調理器５０は、加熱禁止モードに移行する際に、例えば、報知音を鳴らしてもよい。これにより、ユーザは、誘導加熱調理器５０が加熱禁止モードに移行したことを知ることができる。
【０１５０】
ステップＳＴ４においては、制御部は、加熱禁止モードにおいて、所定の操作を検出する。即ち、制御部は、複数のスイッチ装置１ａ、１ｂ、１ｃのうちいずれかにおいて、第１方向に配置された第１スイッチ１２ａ又は第２スイッチ１２ｂのいずれかがオンに操作されたことを検出する。
【０１５１】
ステップＳＴ４において、制御部が所定の操作を検出した場合、フローはステップＳＴ５に進む。制御部が所定の操作を検出しない場合、制御部はステップＳＴ３の加熱禁止モードを維持する。
【０１５２】
ステップＳＴ５において、制御部は、誘導加熱調理器５０の加熱禁止モードを解除し、加熱許可モードに移行する。
【０１５３】
なお、ステップＳＴ５の後、フローは、再度、ステップＳＴ２に戻ってもよい。この場合、ステップＳＴ２の所定時間は、例えば、加熱禁止モードを解除してから１分間に設定される。
【０１５４】
［効果］
実施の形態２に係る誘導加熱調理器５０によれば、以下の効果を奏することができる。
【０１５５】
誘導加熱調理器５０によれば、実施の形態１に係る複数のスイッチ装置１ａ、１ｂ、１ｃを備えている。このため、実施の形態１の効果と同様の効果を得ることができる。即ち、誘導加熱調理器５０の複数のスイッチ装置１ａ、１ｂ、１ｃの耐久性を向上させることができる。
【０１５６】
複数のスイッチ装置１ａ、１ｂ、１ｃの操作部材１３の一端１３ａは、誘導加熱調理器５０の本体５２に設けられた孔５８ａ、５８ｂ、５８ｃから本体５２の外側に露出している。また、複数のスイッチ装置１ａ、１ｂ、１ｃの操作部材１３の一端１３ａは、第１方向（Ｘ方向）及び第２方向（Ｚ方向）への操作が可能である。具体的には、ユーザは、本体５２の外側に露出した複数のスイッチ装置１ａ、１ｂ、１ｃの操作部材１３の一端１３ａを、左右方向及び鉛直方向下向きに操作可能である。
【０１５７】
このような構成により、ユーザが複数のスイッチ装置１ａ、１ｂ、１ｃの操作を行う際、加熱プレート５１に接触することを抑制することができる。例えば、プッシュ式のスイッチ装置の場合、加熱プレート５１に近づく方向にユーザが操作部材を操作するため、加熱プレート５１を触ってしまう可能性がある。誘導加熱調理器５０によれば、複数のスイッチ装置１ａ、１ｂ、１ｃは、左右方向又は鉛直方向下向きの操作によって、スイッチのオンオフを操作することができる、これにより、安全性を向上させることができる。また、複数のスイッチ装置１ａ、１ｃにおいて、操作部材１３の一端１３ａを鉛直方向下向きに操作する場合、加熱プレート５１から離れる方向に操作部材１３の一端１３ａを操作することになる。その結果、より安全性が向上する。
【０１５８】
誘導加熱調理器５０の電源をオン（図１０のステップＳＴ１）にした後、所定の時間内に複数のスイッチ装置１ａ、１ｂ、１ｃの操作がなかった場合（図１０のステップＳＴ２でＮＯ）に、加熱禁止モードに移行して待機する。このような構成により、誘導加熱調理器５０が待機状態で動作しているとき、複数のスイッチ装置１ａ、１ｂ、１ｃが誤って操作された場合に加熱が行われることを防止することができる。
【０１５９】
なお、実施の形態２では、図１０のステップＳＴ１の「電源オン」とは、いわゆるプラグインを指す。これにより、たとえば誘導加熱調理器５０を食卓などに常設するためにプラグインし、プラグイン後すぐに調理を調理しない場合、誘導加熱調理器５０は、加熱禁止モードに移行する。したがって、誘導加熱調理器５０の安全性が向上する。ただし、「電源オン」はプラグインに限定されず、電源ボタンの押下動作と置き換えられてもよく、プラグインと電源ボタンの押下動作との組み合わせでもよい。
【０１６０】
また、図１０のステップＳＴ２の「操作」とは、実施の形態２では、加熱のＯＮ操作、モード選択、またはコース選択等の全ての操作を含む。しかし、ステップＳＴ２の「操作」は一部の操作でもよく、たとえば加熱のＯＮ操作のみであってもよい。すなわち、たとえば図１０のステップＳＴ２で、加熱のＯＮ操作があった場合のみ、制御部はステップＳＴ２でＹＥＳと判断してもよい。つまり、コースの選択操作が実行された場合、制御部は、ステップＳＴ２でＮＯと判断してもよい。
【０１６１】
または、制御部は、ステップＳＴ２で、加熱のＯＮ操作が実行された場合と、その他の操作が実行された場合と、何ら操作がされなかった場合とを判断できてもよい。たとえばステップＳＴ２で、その他の操作（たとえばコースの選択操作）が実行されたと判断された場合、ステップＳＴ２の次に、制御部は、さらに、所定の時間が経過したか否かを判断してもよい。この判断ステップを、たとえばステップＳＴ２Ａ（図示せず）とする。そしてステップＳＴ２ＡでＮＯの場合は、所定の時間が経過するまで、つまりステップＳＴ２ＡでＹＥＳとなるまで、ステップＳＴ２Ａを繰り返してもよい。そして、ステップＳＴ２ＡでＹＥＳと判断された場合、ステップＳＴ２へ戻ってもよい。
【０１６２】
また、実施の形態２では、ステップＳＴ４の「所定の操作」を、複数のスイッチ装置１ａ、１ｂ、１ｃのうちいずれかの操作部材１３の一端１３ａが第１方向（Ｘ方向）に移動する操作としている。所定の操作はこの操作に限定されないが、第１方向（Ｘ方向）の操作は、第２方向（Ｚ方向）の操作と比べて、ユーザが自身の操作を意識し易い。したがって、ステップＳＴ４の「所定の操作」を第１方向（Ｘ方向）の操作とすることにより、ユーザの意図に反して加熱禁止モードが解除されることを抑制できる。
【０１６３】
なお、実施の形態２では、誘導加熱調理器５０は、複数のスイッチ装置１ａ、１ｂ、１ｃを備える例について説明したが、これに限定されない。誘導加熱調理器５０は、１つ又は複数のスイッチ装置を備えていればよい。
【０１６４】
実施の形態２では、複数のスイッチ装置１ａ、１ｂ、１ｃにおいて、左右方向及び鉛直方向下向きの操作の例を説明したが、これに限定されない。複数のスイッチ装置１ａ、１ｂ、１ｃは、例えば、操作したい機能及び／又は設定に応じて、操作する方向を変更してもよいし、増減してもよい。
【０１６５】
実施の形態２では、加熱プレート５１は、薄板状のフラットなプレートを例として説明したが、これに限定されない。例えば、加熱プレート５１は、半球状に窪んだ複数の凹部を有するプレート、所謂たこ焼きプレート、長方形状に窪んだ複数の凹部を有するプレート、あるいは、これらのプレートを組み合わせたプレートであってもよい。組み合わせたプレートは、例えば、一端側がフラットなプレートであり、他端側がたこ焼きプレートであってもよい。また、厚み方向から見たときの加熱プレート５１の形状は、長方形形状に限定されない。例えば、厚み方向から見たときの加熱プレート５１の形状は、正方形、円形、又は楕円形などであってもよい。
【０１６６】
実施の形態２では、誘導加熱調理器５０は、複数の加熱コイル５５ａ、５５ｂ及び複数のインバータを備える例について説明したが、これに限定されない。誘導加熱調理器５０は、１つ以上の加熱コイル及び１つ以上のインバータを備えていればよい。
【０１６７】
実施の形態２では、誘導加熱調理器５０は、待機動作として、加熱禁止モードを有する例について説明したが、これに限定されない。加熱禁止モードは必須の構成ではない。
【０１６８】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１６９】
本発明に係るスイッチ装置は、耐久性を向上させることができるため、例えば、卓上またはガス台などに載置される誘導加熱調理器に有用である。
【符号の説明】
【０１７０】
１、１ａ、１ｂ、１ｃ      スイッチ装置
１１      ベース
１１ａ    第１ベース部
１１ｂ    第２ベース部
１１ｃ    ベース側壁
１１ｄ    ベース後壁
１２ａ    第１スイッチ
１２ｂ    第２スイッチ
１２ｃ    第３スイッチ
１３      操作部材
１３ａ    一端
１３ｂ    他端
１３ｃ    突設部
１４      第１軸部
１５      取付部
１５ａ    取付側壁
１５ｂ    リブ
１５ｃ    凸部
１６      第２軸部
１７      弾性体（第２の弾性体）
１８      カバー
１９      弾性体（第１の弾性体）
２０      封止部材
５０      誘導加熱調理器
５１      加熱プレート
５２      本体
５３      筐体
５４      表示部
５５ａ、５５ｂ  加熱コイル
５６      制御基板
５７      操作基板
５８ａ、５８ｂ、５８ｃ  孔
５９ａ、５９ｂ、５９ｃ  切り欠き
【図１】
2019160479.tif 000003
【図２】
2019160479.tif 000004
【図３】
2019160479.tif 000005
【図４】
2019160479.tif 000006
【図５Ａ】
2019160479.tif 000007
【図５Ｂ】
2019160479.tif 000008
【図５Ｃ】
2019160479.tif 000009
【図６Ａ】
2019160479.tif 000010
【図６Ｂ】
2019160479.tif 000011
【図６Ｃ】
2019160479.tif 000012
【図７】
2019160479.tif 000013
【図８】
2019160479.tif 000014
【図９】
2019160479.tif 000015
【図１０】
2019160479.tif 000016